(57)【要約】【課題】リース契約及びクレジットカード契約を締結したユーザの利便性を高めたリース契約者向け販売システム及びそれを用いた燃料販売方法を提供する。【解決手段】リース契約者向け販売システム１０は、複数の燃料販売端末２００と、データサーバＤＳと、ホストコンピュータＨＣとを含む。ホストコンピュータＨＣは、燃料端末取得の顧客識別番号を顧客識別番号として指定して、データサーバＤＳにおける複数のリースカード契約情報の中から、指定された顧客識別番号に該当するリースカード契約情報を燃料購入者のリースカード契約情報として特定し、特定された燃料購入者のリースカード契約情報からリース契約の契約条件を燃料購入者のリース契約の契約条件として参照し、参照された燃料購入者のリース契約の契約条件に応じて、ユーザＣがサービスステーションで購入した基本燃料料金から割り引かれたリース値引後の燃料料金を算出し、リース値引後の燃料料金を請求燃料料金として、クレジットカード契約の契約条件に基づいて請求する。【選択図】図１
2017228064.tif 000002
【特許請求の範囲】
【請求項１】
それぞれが、各サービスステーションに設置され、通信網に接続された複数の燃料販売端末と、
前記通信網に接続されたデータサーバと、
前記通信網に接続されたホストコンピュータと、を含み、
各サービスステーションが提供するサービスは、車両の燃料の販売業務のサービスを有し、
各燃料販売端末は、各サービスステーションに来たユーザの顧客識別番号を燃料端末取得の顧客識別番号として取得し、また、前記ユーザがサービスステーションで購入した燃料の基本料金を基本燃料料金として算出し、
前記データサーバは、
それぞれが、顧客識別番号に対してリース契約の契約条件を関連付けたものを、複数のリース契約情報とした場合において、
指定された顧客識別番号に基づいて前記複数のリース契約情報の中から指定のリース契約情報を参照することができるように、前記複数のリース契約情報を格納し、
前記ホストコンピュータは、
前記燃料端末取得の顧客識別番号を顧客識別番号として指定して、前記データサーバにおける前記複数のリース契約情報の中から、指定された顧客識別番号に対するリース契約の契約条件を燃料購入者のリース契約の契約条件として参照し、
参照された燃料購入者のリース契約の契約条件に応じて前記基本燃料料金から割り引かれたリース値引後の燃料料金を算出し、
前記リース値引後の燃料料金を請求燃料料金として請求する、リース契約者向け販売システム。
【請求項２】
前記データサーバは、
それぞれが、顧客識別番号に対してクレジットカード契約の契約条件を関連付けたものを、複数のクレジットカード契約情報とした場合において、
さらに、指定された顧客識別番号に基づいて前記複数のクレジットカード契約情報の中から指定のクレジットカード契約情報を参照することができるように、前記複数のクレジットカード契約情報を格納し、
前記ホストコンピュータは、
さらに、前記燃料端末取得の顧客識別番号を顧客識別番号として指定して、前記データサーバにおける前記複数のクレジットカード契約情報の中から、指定された顧客識別番号に対するクレジットカード契約の契約条件を燃料購入者のクレジットカード契約の契約条件として参照し、
前記リース値引後の燃料料金を請求燃料料金として請求する代わりに、
参照された燃料購入者のクレジットカード契約の契約条件に応じて、前記リース値引後の燃料料金から割り引いたクレジット値引後の燃料料金を、前記請求燃料料金として請求する、請求項１に記載のリース契約者向け販売システム。
【請求項３】
前記データサーバは、
それぞれが、顧客識別番号に対して、クレジットカード契約の契約条件に基づいて購入した物品又はサービスステーションで受けたサービスの購入履歴を関連付けたものを、複数の顧客購入履歴とした場合において、
前記複数の顧客購入履歴の中から指定された顧客識別番号に基づいて指定された顧客購入履歴を参照することができるように、前記複数の顧客購入履歴を格納し、
前記ホストコンピュータは、
前記燃料端末取得の顧客識別番号を顧客識別番号として指定して、前記データサーバにおける前記複数の顧客購入履歴の中から、指定された顧客識別番号に該当する顧客購入履歴を参照し、
前記クレジット値引後の燃料料金を前記請求燃料料金として請求する代わりに、
参照された顧客購入履歴に基づいて前記クレジット値引後の燃料料金から割り引いた物品購入値引後の燃料料金を前記請求燃料料金として請求する、請求項２に記載のリース契約者向け販売システム。
【請求項４】
さらに、前記通信網に接続された複数の物品販売端末を含み、
各サービスステーションで提供されるサービスは、洗車、車両のメンテナンス業務、クレジットカード契約の締結又は仲介業務、及び、車両を貸し出すリース契約の締結又は仲介業務を含み、
各物品販売端末は、ユーザの顧客識別番号を物販端末取得の顧客識別番号として取得し、また、前記ユーザが前記物品販売端末で購入した物品又はサービスステーションで受けたサービスの基本料金を基本物品料金とし、
前記ホストコンピュータは、
前記物販端末取得の顧客識別番号を顧客識別番号として指定して、前記データサーバにおける前記複数のリース契約情報の中から、指定された顧客識別番号に対するリース契約の契約条件を、物品購入者のリース契約の契約条件として参照し、
参照された物品購入者のリース契約の契約条件に応じて前記基本物品料金から割引かれたリース値引後の物品料金を算出し、
前記リース値引後の物品料金を請求物品料金として請求する、請求項１から３のいずれかに記載のリース契約者向け販売システム。
【請求項５】
前記ホストコンピュータは、
前記参照された燃料購入者のリース契約の契約条件に応じて、前記燃料販売端末が設置されているサービスステーションで提供できるサービスのうち値引くことができるサービスを前記燃料販売端末に表示させる、請求項１から４のいずれかに記載のリース契約者向け販売システム。
【請求項６】
請求項１から５のいずれかに記載のリース契約者向け販売システムを用いて、
前記燃料端末取得の顧客識別番号を取得し、
前記燃料端末取得の顧客識別番号を顧客識別番号として指定して、前記データサーバにおける前記複数のリース契約情報の中から、指定された顧客識別番号に対するリース契約の契約条件を燃料購入者のリース契約の契約条件として参照し、
参照された燃料購入者のリース契約の契約条件に応じて前記基本燃料料金から割り引かれたリース値引後の燃料料金を算出し、
前記リース値引後の燃料料金を請求燃料料金として請求する、燃料販売方法。
【発明の詳細な説明】
【技術分野】
【０００１】
本発明は、リース契約者向け販売システム及びそれを用いた燃料販売方法に関する。
【背景技術】
【０００２】
従来、燃料販売会社がサービスステーションにてガソリン、軽油等の燃料の販売の他に、タイヤ交換、オイル交換等のメンテナンスサービスを提供することが知られている。
【０００３】
また、サービスステーションに来店する顧客の個人情報及び車両のメンテナンス情報を顧客の了解の上で収集してデータベースに登録し、これを活用してより充実した顧客車両へのサービスを提供することが知られている（例えば、特許文献１参照）。
【０００４】
他方、車両の保有形態として、車両に対してリース契約を締結し、その車両を運転する所謂カーリースがあり、近年、カーリースを利用するユーザが増えている。
そこで、ユーザのリース契約に応じて、サービスステーションで販売する燃料の料金の割引額又は割引率を設定することが提案されている（例えば、特許文献２参照）。
【先行技術文献】
【特許文献】
【０００５】
【特許文献１】特許第４４２３１３４号
【特許文献２】特許第５６４９２０４号
【発明の概要】
【発明が解決しようとする課題】
【０００６】
ところで、本発明者らは、リース契約の締結の他に、さらに、クレジットカード契約を締結したユーザに対して、新たなサービスを提供することを検討した。
【０００７】
そこで本発明の目的は、リース契約及びクレジットカード契約を締結したユーザの利便性を高めたリース契約者向け販売システム及びそれを用いた燃料販売方法を提供することにある。
【課題を解決するための手段】
【０００８】
上記目的を達成するために、本発明によれば以下が提供される。
（１）  それぞれが、各サービスステーションに設置され、通信網に接続された複数の燃料販売端末と、
前記通信網に接続されたデータサーバと、
前記通信網に接続されたホストコンピュータと、を含み、
各サービスステーションが提供するサービスは、車両の燃料の販売業務のサービスを有し、
各燃料販売端末は、各サービスステーションに来たユーザの顧客識別番号を燃料端末取得の顧客識別番号として取得し、また、前記ユーザがサービスステーションで購入した燃料の基本料金を基本燃料料金として算出し、
前記データサーバは、
それぞれが、顧客識別番号に対してリース契約の契約条件を関連付けたものを、複数のリース契約情報とした場合において、
指定された顧客識別番号に基づいて前記複数のリース契約情報の中から指定のリース契約情報を参照することができるように、前記複数のリース契約情報を格納し、
前記ホストコンピュータは、
前記燃料端末取得の顧客識別番号を顧客識別番号として指定して、前記データサーバにおける前記複数のリース契約情報の中から、指定された顧客識別番号に対するリース契約の契約条件を燃料購入者のリース契約の契約条件として参照し、
参照された燃料購入者のリース契約の契約条件に応じて前記基本燃料料金から割り引かれたリース値引後の燃料料金を算出し、
前記リース値引後の燃料料金を請求燃料料金として請求する、リース契約者向け販売システム。
【０００９】
（２）  前記データサーバは、
それぞれが、顧客識別番号に対してクレジットカード契約の契約条件を関連付けたものを、複数のクレジットカード契約情報とした場合において、
さらに、指定された顧客識別番号に基づいて前記複数のクレジットカード契約情報の中から指定のクレジットカード契約情報を参照することができるように、前記複数のクレジットカード契約情報を格納し、
前記ホストコンピュータは、
さらに、前記燃料端末取得の顧客識別番号を顧客識別番号として指定して、前記データサーバにおける前記複数のクレジットカード契約情報の中から、指定された顧客識別番号に対するクレジットカード契約の契約条件を燃料購入者のクレジットカード契約の契約条件として参照し、
前記リース値引後の燃料料金を請求燃料料金として請求する代わりに、
参照された燃料購入者のクレジットカード契約の契約条件に応じて、前記リース値引後の燃料料金から割り引いたクレジット値引後の燃料料金を、前記請求燃料料金として請求する、（１）に記載のリース契約者向け販売システム。
【００１０】
（３）  前記データサーバは、
それぞれが、顧客識別番号に対して、クレジットカード契約の契約条件に基づいて購入した物品又はサービスステーションで受けたサービスの購入履歴を関連付けたものを、複数の顧客購入履歴とした場合において、
前記複数の顧客購入履歴の中から指定された顧客識別番号に基づいて指定された顧客購入履歴を参照することができるように、前記複数の顧客購入履歴を格納し、
前記ホストコンピュータは、
前記燃料端末取得の顧客識別番号を顧客識別番号として指定して、前記データサーバにおける前記複数の顧客購入履歴の中から、指定された顧客識別番号に該当する顧客購入履歴を参照し、
前記クレジット値引後の燃料料金を前記請求燃料料金として請求する代わりに、
参照された顧客購入履歴に基づいて前記クレジット値引後の燃料料金から割り引いた物品購入値引後の燃料料金を前記請求燃料料金として請求する、（２）に記載のリース契約者向け販売システム。
【００１１】
（４）  さらに、前記通信網に接続された複数の物品販売端末を含み、
各サービスステーションで提供されるサービスは、洗車、車両のメンテナンス業務、クレジットカード契約の締結又は仲介業務、及び、車両を貸し出すリース契約の締結又は仲介業務を含み、
各物品販売端末は、ユーザの顧客識別番号を物販端末取得の顧客識別番号として取得し、また、前記ユーザが前記物品販売端末で購入した物品又はサービスステーションで受けたサービスの基本料金を基本物品料金とし、
前記ホストコンピュータは、
前記物販端末取得の顧客識別番号を顧客識別番号として指定して、前記データサーバにおける前記複数のリース契約情報の中から、指定された顧客識別番号に対するリース契約の契約条件を、物品購入者のリース契約の契約条件として参照し、
参照された物品購入者のリース契約の契約条件に応じて前記基本物品料金から割引かれたリース値引後の物品料金を算出し、
前記リース値引後の物品料金を請求物品料金として請求する、（１）から（３）のいずれかに記載のリース契約者向け販売システム。
【００１２】
（５）  前記ホストコンピュータは、
前記参照された燃料購入者のリース契約の契約条件に応じて、前記燃料販売端末が設置されているサービスステーションで提供できるサービスのうち値引くことができるサービスを前記燃料販売端末に表示させる、（１）から（４）のいずれかに記載のリース契約者向け販売システム。
【００１３】
（６）  （１）から（５）のいずれかに記載のリース契約者向け販売システムを用いて、
前記燃料端末取得の顧客識別番号を取得し、
前記燃料端末取得の顧客識別番号を顧客識別番号として指定して、前記データサーバにおける前記複数のリース契約情報の中から、指定された顧客識別番号に対するリース契約の契約条件を燃料購入者のリース契約の契約条件として参照し、
参照された燃料購入者のリース契約の契約条件に応じて前記基本燃料料金から割り引かれたリース値引後の燃料料金を算出し、
前記リース値引後の燃料料金を請求燃料料金として請求する、燃料販売方法。
【発明の効果】
【００１４】
本発明によれば、リース契約の契約条件に応じて、ユーザがサービスステーションで購入した燃料の基本料金である基本燃料料金から割引いて請求することができるので、リース契約及びクレジットカード契約を締結したユーザの利便性を高めたリース契約者向け販売システム及びそれを用いた燃料販売方法を提供することができる。
【図面の簡単な説明】
【００１５】
【図１】本発明に係るリース契約者向け販売システムの全体構成図である。
【図２】図１に示したリース契約者向け販売システムのブロック図である。
【図３】図１に示したリース契約者向け販売システムの燃料を購入する際のフローチャート図である。
【図４】図１に示したリース契約者向け販売システムの燃料の料金を請求する際のフローチャート図である。
【図５】図４に続くリース契約者向け販売システムの燃料の料金を請求する際のフローチャート図である。
【図６】図１に示したリース契約者向け販売システムの物品を購入する際のフローチャート図である。
【発明を実施するための形態】
【００１６】
図１及び図２を参照して、リース契約者向け販売システム１０の説明をする。リース契約者向け販売システム１０は、リース契約及びクレジットカード契約を締結したユーザＣ、Ｄの利便性を高める販売システムである。
通常、クレジットカードの利用を希望する者は、クレジット会社との間にクレジットカード契約を締結する。また、リースの利用を希望する者は、リース契約を締結する。このとき、リース契約の締結は、リース会社又はクレジット会社となる。
リース契約を、クレジット契約をしたクレジット会社でした場合、クレジットカードＣＤのクレジット番号のような顧客識別番号に、クレジット契約の契約条件と、リース契約の契約条件とが関連付けられる。換言すると、１つのクレジットカードＣＤの契約条件には、クレジット契約とリース契約とが含まれる。
本実施の形態では、ユーザＣ、Ｄは、リース契約を、クレジット契約をしたクレジット会社で契約をしたものとして説明する。
【００１７】
図１に示すように、リース契約者向け販売システム１０は、サービスステーションＳＳで提供される燃料の請求額を、リース契約の契約条件等に応じて値引くシステムであり、インターネット等の通信網Ｎに接続された複数の燃料販売端末２００と、通信網Ｎに接続されたデータサーバＤＳと、通信網Ｎに接続されたホストコンピュータＨＣと、を含む。リース契約者向け販売システム１０は、さらに、物品販売端末３００を含むことが好ましい。
【００１８】
複数の燃料販売端末２００は、それぞれ、複数のサービスステーションＳＳに設置されている。
サービスステーションＳＳは、車両の燃料の販売業務のサービスを提供している。サービスステーションＳＳは、さらに、洗車、車両のメンテナンス業務、クレジットカード契約の締結又は仲介業務、車両を貸し出すリース契約の締結又は仲介業務、自動車保険、自動二輪保険、自転車保険、ドライバー保険（例えば、車両を所有していないが、友人等の車両、レンタカーを借りて運転する機会がある者に対する保険）のサービスの少なくとも１つを提供していることが好ましい。
サービスステーションＳＳには、例えば、エンジンオイルＡ、タイヤ、ホイルなど、車両の付属品、消耗品、これらの関連物品、及び、上述のサービス（以下、これら物品及びサービスを含めて物品等という。）の販売をする販売店Ｓが設置されている。
【００１９】
燃料販売端末２００は、入力端末２１０と、出力端末２２０と、車両Ｍに、レギュラーガソリン、ハイオクガソリン、軽油等の燃料を提供する給油設備２３０とを備える。
【００２０】
入力端末２１０は、顧客識別番号を取得する手段を有し、その手段としては、例えば、ユーザＣが有するクレジットカードＣＤに記録されているクレジット番号（顧客識別番号の一例である）を読み取るカードリーダである。このため、燃料販売端末２００は、燃料を購入するためにサービスステーションＳＳに来たユーザＣの顧客識別番号を燃料端末取得の顧客識別番号として取得する機能を有する。
【００２１】
出力端末２２０は、例えば、ユーザＣに様々な情報を提供する液晶モニターと、液晶モニターの表示と連動して様々な音を発生する報知手段とを有する。
出力端末２２０には、例えば、現在、車両Ｍに供給された燃料の量を表示したり、燃料に関する情報を表示したりする。燃料に関する情報としては、例えば、現在、給油中の販売単価、ユーザＣが用いたクレジットカードＣＤに対する値引きの情報である。物品等の値引きの情報は、後述する、値引物品サービスの特定部１８２（図２参照）で特定された物品等の情報であり、例えば、物品等の名称や値引きの情報が含まれ、具体的には、エンジンオイルＡが値引かれている情報である。値引きの情報は、例えば、値引率（１２％値引き）の情報、値引額（１円／リットル値引き）の情報である。
【００２２】
物品販売端末３００は、物品等の支払いをするための端末であり、例えば、販売店Ｓ内に設置されていることが好ましい。物品販売端末３００は、入力端末３１０と出力端末３２０とを備える。
【００２３】
入力端末３１０は、ユーザＤが有するクレジットカードＣＤに記録されているクレジットカード番号（顧客識別番号の一例である）を読み取るカードリーダのような顧客識別番号取得手段と、ユーザＤが購入する物品（例えば、エンジンオイルＡ）に付されているバーコードを読み取るバーコードリーダ、金額、数量等の数値を入力するキーボードのような入力手段とを有する。このため、物品販売端末３００は、サービスステーションＳＳの販売店Ｓに来たユーザＤの顧客識別番号を物販端末取得の顧客識別番号として取得する機能を有する。
【００２４】
出力端末３２０は、例えば、ユーザＤに様々な情報を提供する液晶モニターと、液晶モニターの表示と連動して様々な音を発生する報知手段とを有する。
出力端末３２０は、例えば、値引物品サービスの特定部１８２で特定された物品等の情報を表示したり、後述する、請求物品料金の算出部１３６が算出した請求物品料金を表示したりする。
【００２５】
データサーバＤＳは、複数のリースカード契約情報の中から指定された顧客識別番号に基づいて特定されたリースカード契約情報を取出することができるように、複数のリースカード契約情報を格納している。各リースカード契約情報は、顧客識別番号に対して、リース契約の契約条件とクレジットカード契約の契約条件とを関連付けたものである。
具体的には、リースカード契約情報は、データサーバＤＳ内において、リース契約のデータテーブルと、クレジットカード契約のデータテーブルとに記録されている。リース契約のデータテーブルは、リース契約の契約条件を顧客識別番号に対して関連付けて、顧客識別番号から、対応するリース契約の契約条件を特定することができるようなデータテーブルである。クレジットカード契約のデータテーブルは、クレジットカード契約の契約条件（例えば、クレジットカードの、ゴールド、プラチナ等のグレードで表される利用限度額や、一括払いやリボ払いなどの支払い条件）を顧客識別番号に対して関連付けて、顧客識別番号から、対応するクレジットカード契約の契約条件を特定することができるようなデータテーブルである。
【００２６】
また、データサーバＤＳは、複数の顧客購入履歴の中から指定された顧客識別番号に基づいて特定された顧客購入履歴を取出することができるように、複数の顧客購入履歴を格納している顧客購入履歴データテーブルに記録されている。各顧客購入履歴は、顧客識別番号に対して、クレジットカード契約の契約条件に基づいて購入した物品又はサービスステーションで受けたサービスの購入履歴を関連付けられている。
【００２７】
図２に示すように、ホストコンピュータＨＣは、燃料用の請求料金である請求燃料料金を算出するために、基本燃料料金の算出部１０１と、リース契約条件の参照部１０２と、リース値引後の燃料料金の算出部１０６と、クレジット値引後の燃料料金の算出部１０８と、顧客購入物品の履歴の特定部１１０と、物品購入値引後の燃料料金の算出部１１２と、請求燃料料金の算出部１１４とを含む。
また、ホストコンピュータＨＣは、物品等用の料金を算出するために、基本物品料金の算出部１３１と、リース契約条件の参照部１３２と、リース値引後の物品料金の算出部１３４と、請求物品料金の算出部１３６とを含む。
また、ホストコンピュータＨＣは、ユーザＣに値引き可能な物品等を知らせるために、値引物品サービスの特定部１８２を含む。
【００２８】
基本燃料料金の算出部１０１は、ユーザＣがサービスステーションＳＳで購入した燃料の基本料金（以下、基本燃料料金ともいう）を算出する。基本燃料料金は、例えば、一般に提供される燃料の料金（通常販売価格）であり、油種（レギュラーガソリン、ハイオクガソリン、軽油）によって異なる。
【００２９】
リース契約条件の参照部１０２は、後述するように、燃料端末取得の顧客識別番号に対するリースカード契約情報を燃料購入者のリースカード契約情報として特定する。
リース契約条件の参照部１０２は、さらに、特定された燃料購入者のリースカード契約情報におけるリース契約の契約条件を燃料購入者のリース契約の契約条件（例えば、フルメンテナンス契約、メンテナンスなし契約）として参照する機能を有する。
【００３０】
リース値引後の燃料料金の算出部１０６は、リース契約条件の参照部１０２で参照された燃料購入者のリース契約の契約条件に応じて、基本燃料料金の算出部１０１で算出した基本燃料料金から割り引かれたリース値引後の燃料料金を算出する機能を有する。
【００３１】
クレジット値引後の燃料料金の算出部１０８は、燃料購入者のクレジットカード契約の契約条件に応じて、リース値引後の燃料料金を割り引いたクレジット値引後の燃料料金を算出する機能を有する。
【００３２】
顧客購入物品の履歴の特定部１１０は、燃料端末取得の顧客識別番号を顧客識別番号として指定して、データサーバＤＳにおける複数の顧客購入履歴の中から、指定された顧客識別番号に該当する顧客購入履歴を特定する機能を有する。
【００３３】
物品購入値引後の燃料料金の算出部１１２は、特定された顧客購入履歴に基づいて、クレジット値引後の燃料料金を割り引いた物品購入値引後の燃料料金を算出する機能を有する。
物品購入値引後の燃料料金の算出部１１２は、燃料購入者のクレジットカード契約の契約条件に応じて値引くリース値引き、クレジットカード契約の契約条件に応じて値引くクレジット値引き、及び、顧客購入履歴に応じて値引く物品購入値引きの月間総額又は総量の上限を設定することができる機能（例えば、月間総額が所定金額を超えた場合、値引く額の上限を設定する）を有してもよい。
【００３４】
請求燃料料金の算出部１１４は、参照された燃料購入者のリース契約の契約条件に応じた値引きができない場合（リース条件不成立）には、基本燃料料金を請求燃料料金として算出する機能を有する。
リース条件成立の場合において、請求燃料料金の算出部１１４は、クレジットカード契約の契約条件に応じた値引きができない場合（カード条件不成立）には、リース値引後の燃料料金を請求燃料料金として算出する機能を有する。
カード条件成立の場合において、請求燃料料金の算出部１１４は、特定された顧客購入履歴に基づいて値引きができない場合（物品条件不成立）には、クレジット値引後の燃料料金を請求燃料料金として算出する機能を有し、また、物品条件成立の場合には、物品購入値引後の燃料料金を請求燃料料金として算出する機能を有する。
請求燃料料金の算出部１１４は、請求燃料料金を出力端末２２０に出力させる。
【００３５】
基本物品料金の算出部１３１は、ユーザＣが販売店Ｓ内で購入した物品の基本料金である基本物品料金を算出する機能を有する。基本物品料金は、一般に提供される物品（例えば、エンジンオイルＡ）の料金（通常販売価格）である。
【００３６】
リース契約条件の参照部１３２は、物販端末取得の顧客識別番号を顧客識別番号として指定して、データサーバＤＳにおける複数のリースカード契約情報の中から、指定された顧客識別番号に該当するリースカード契約情報を物品購入者のリースカード契約情報として特定する機能を有する。
リース契約条件の参照部１３２は、特定された物品購入者のリースカード契約情報からリース契約の契約条件を、物品購入者のリース契約の契約条件として参照する機能を有する。
【００３７】
リース値引後の物品料金の算出部１３４は、参照された物品購入者（ユーザＤ）のリース契約の契約条件に応じて、物品購入者が物品販売端末３００で購入した物品又はサービスステーションで受けた物品サービスの基本料金（以下、基本物品料金ということがある）から割引かれたリース値引後の物品料金を算出する機能を有する。
【００３８】
請求物品料金の算出部１３６は、リース値引後の物品料金を請求物品料金として、クレジットカード契約の契約条件に基づいて請求する機能を有する。請求物品料金の算出部１３６は、請求物品料金を出力端末３２０に表示させる。
【００３９】
値引物品サービスの特定部１８２は、参照された燃料購入者のリース契約の契約条件に応じて、サービスステーションＳＳで提供できるサービスのうち値引くことができるサービスを特定する機能を有する。値引物品サービスの特定部１８２は、特定された値引くことができるサービスを出力端末２２０に表示させる。
【００４０】
図３から図６を参照して、上述のリース契約者向け販売システムを用いた燃料販売方法を説明する。
【００４１】
図３を参照して、燃料購入の際の手順及びホストコンピュータＨＣの動作を説明する。この動作は、燃料購入者が燃料を購入する毎に実行される。
まず、サービスステーションＳＳに燃料を購入しに来た燃料購入者（ユーザＣ）は、給油設備２３０を操作する。これにより、ホストコンピュータＨＣは、基本燃料料金の算出部１０１において、基本燃料料金を算出する（基本燃料料金の算出工程、ステップＳ０１）。
【００４２】
次に、ユーザＣは、燃料販売端末２００の入力端末２１０にユーザＣのクレジットカードＣＤのクレジットカード番号を読み取らせる。これにより、ホストコンピュータＨＣは、入力端末２１０からクレジットカードＣＤに記録されているクレジットカード番号（顧客識別番号）を燃料端末取得の顧客識別番号として取得する（顧客識別番号の取得工程、ステップＳ０３）。
次に、ユーザＣは、自動車Ｍに対して給油を開始する。これにより、燃料販売端末２００の出力端末２２０には、現在給油されている燃料における、給油量、及び基本燃料料金、及び、後述する値引物品サービスの特定部１８２で特定された値引くことができるサービスが表示される。なお、燃料販売端末２００の出力端末２２０には、リース契約の契約条件に基づく値引きを考慮した値段は表示されない。
【００４３】
ホストコンピュータＨＣは、給油中は、刻々と変化する給油量や請求燃料料金を出力端末２２０に表示させる。これにより、ユーザＣは、給油中は、刻々と変化する給油量や請求燃料料金に関心を持つことになるが、給油中にわたって給油量や請求燃料料金だけを常に注視することはまれで、出力端末２２０全体を注視することが多い。このため、ユーザＣは、給油量や請求燃料料金と共に、出力端末２２０に表示される、値引くことができる物品やサービスにも関心を持って見てもらえることが期待できる。
【００４４】
また、ホストコンピュータＨＣは、給油中、値引物品サービスの特定部１８２において、参照された燃料購入者のリース契約の契約条件に応じて、サービスステーションＳＳで提供できるサービスのうち値引くことができるサービスを特定する（値引物品サービスの特定工程、ステップＳ０５）。
ホストコンピュータＨＣは、値引物品サービスの特定部１８２で特定された値引くことができるサービスを出力端末２２０に表示させる。
【００４５】
ユーザＣは、給油が終わると、給油設備２３０を操作する。これにより、ホストコンピュータＨＣは、今回の給油に関する請求燃料料金を算出し、算出された請求燃料料金を顧客識別番号と共に、データサーバＤＳに記録する（請求燃料料金の記録工程、ステップＳ０７）。このとき、算出された請求燃料料金は、リース契約の契約条件に基づく値引きを考慮した値段とはなっていない。
【００４６】
図４及び図５を参照して、購入した燃料の料金の請求をするためのホストコンピュータＨＣの動作を説明する。この動作は、例えば、クレジットカード契約の契約条件に規定された支払い請求を請求するための決算日毎に実行される。
図４に示すように、先ず、ホストコンピュータＨＣは、データサーバＤＳから、該当する期間における、顧客識別番号に対する請求燃料料金を取得する（請求燃料料金の取得工程、ステップＳ１１）。
ここで該当する期間とは、例えば、クレジットカード契約の契約条件に規定された支払い条件期間（例えば、月末一括払い、毎月１５日リボ払い等）で定められた期間（例えば、先月末から今月末までの１ヶ月間）である。
【００４７】
次に、ホストコンピュータＨＣは、リース契約条件の参照部１０２において、燃料端末取得の顧客識別番号を顧客識別番号として指定して、データサーバＤＳにおける複数のリースカード契約情報の中から、指定された顧客識別番号に該当するリースカード契約情報を燃料購入者のリースカード契約情報として特定する。
ホストコンピュータＨＣは、リース契約条件の参照部１０２において、さらに、特定された燃料購入者のリースカード契約情報からリース契約の契約条件を燃料購入者のリース契約の契約条件として参照する（リース契約条件の参照工程、ステップＳ１３）。
【００４８】
次に、ホストコンピュータＨＣは、請求燃料料金の算出部１１４において、リース契約条件の参照部１０２で参照された燃料購入者のリース契約の契約条件に応じて値引くことができるリース条件成立か、できないリース条件不成立かを判断する（リース条件の判断工程、ステップＳ１５）。
ホストコンピュータＨＣは、リース条件成立と判断した場合、ステップＳ１７に、リース条件不成立と判断した場合、ステップＳ２１に処理を移す。
【００４９】
ホストコンピュータＨＣは、請求燃料料金の算出部１１４において、リース条件成立と判断した場合、クレジットカード契約の契約条件に応じた値引きができるカード条件成立か、できないカード条件不成立かを判断する（クレジットカード条件判断工程、ステップＳ１７）。
ホストコンピュータＨＣは、カード条件成立と判断した場合、ステップＳ１９に、カード条件不成立と判断した場合、ステップＳ２３に処理を移す。
【００５０】
ホストコンピュータＨＣは、請求燃料料金の算出部１１４において、カード条件成立と判断した場合、特定された顧客購入履歴に基づいて値引きができる物品条件成立か、できない物品条件不成立かを判断する（物品条件の判断工程、ステップＳ１９）。
ホストコンピュータＨＣは、物品条件成立と判断した場合、ステップＳ２５に、物品条件不成立と判断した場合、ステップＳ２７に処理を移す。
【００５１】
図５に示すように、ホストコンピュータＨＣは、請求燃料料金の算出部１１４において、リース条件不成立と判断した場合、基本燃料料金を請求燃料料金として算出する（基本燃料料金の設定工程、ステップＳ２１）。
【００５２】
ホストコンピュータＨＣは、請求燃料料金の算出部１１４において、カード条件成立と判断した場合、リース値引後の燃料料金を請求燃料料金として算出する（リース値引後の燃料料金の設定工程、ステップＳ２３）。
【００５３】
ホストコンピュータＨＣは、請求燃料料金の算出部１１４において、物品条件成立と判断した場合、クレジット値引後の燃料料金を請求燃料料金として算出する（クレジット値引後の燃料料金の設定工程、ステップＳ２５）。
【００５４】
ホストコンピュータＨＣは、請求燃料料金の算出部１１４において、物品条件成立と判断した場合、物品購入値引後の燃料料金を請求燃料料金として算出する（物品購入値引後の燃料料金の設定工程、ステップＳ２７）。
【００５５】
ホストコンピュータＨＣは、クレジット会社５０に基本燃料料金を請求する（燃料料金の請求工程、ステップＳ２９）。
クレジット会社５０は、クレジットカード契約の契約条件に規定された支払い条件（例えば、月末一括払い、毎月１５日リボ払い等）に基づいて、ユーザＣに請求燃料料金を請求する。
基本燃料料金と請求燃料料金との差額、すなわち、値引き額は、例えば、あらかじめ決めた割合でサービスステーションＳＳ、クレジット会社５０が負担する。
【００５６】
なお、給油が終わった後に、ステップＳ０７の処理において、請求燃料料金を算出した後に、算出された請求燃料料金を顧客識別番号と共に、データサーバＤＳに記録する代わりに、続けて、ステップＳ１１以降の処理を実行してもよい。この場合、給油中及び給油が終わった際に、出力端末２２０に請求燃料料金に表示させてもよい。
【００５７】
図６に示すように、まず、サービスステーションＳＳの販売店Ｓに物品等を購入しに来た物品購入者（ユーザＤ）は、物品等（例えば、エンジンオイルＡ）を物品販売端末３００に持っていく。
販売店Ｓの店員Ｂは、物品販売端末３００の入力端末３１０を操作して、エンジンオイルＡに付されているバーコードを読み取る。これにより、ホストコンピュータＨＣは、基本物品料金の算出部１３１において、基本物品料金を算出する（基本物品料金の算出工程、ステップＳ３１）。
【００５８】
次に、店員Ｂは、物品販売端末３００の入力端末３１０にユーザＤのクレジットカードＣＤを読み取らせる。これにより、ホストコンピュータＨＣは、入力端末３１０からクレジットカードＣＤに記録されている顧客識別番号を物販端末取得の顧客識別番号として取得する（顧客識別番号の取得工程、ステップＳ３３）。
【００５９】
次に、ホストコンピュータＨＣは、リース契約条件の参照部１３２において、物販端末取得の顧客識別番号を顧客識別番号として指定して、データサーバＤＳにおける複数のリースカード契約情報の中から、指定された顧客識別番号に該当するリースカード契約情報を物品購入者のリースカード契約情報として特定する。
ホストコンピュータＨＣは、リース契約条件の参照部１３２において、さらに、特定された物品購入者のリースカード契約情報からリース契約の契約条件を物品購入者のリース契約の契約条件として参照する（リース契約条件の参照工程、ステップＳ３５）。
【００６０】
次に、ホストコンピュータＨＣは、請求物品料金の算出部１３６において、リース契約条件の参照部１３２で参照された物品購入者のリース契約の契約条件に応じて値引くことができるリース条件成立か、できないリース条件不成立かを判断する（リース条件の判断工程、ステップＳ３７）。
【００６１】
ホストコンピュータＨＣは、請求物品料金の算出部１３６において、リース条件不成立と判断した場合、基本物品料金を請求物品料金として算出する（基本物品料金の設定工程、ステップＳ４７）。
【００６２】
ホストコンピュータＨＣは、請求物品料金の算出部１３６において、リース条件成立と判断した場合、リース値引後の物品料金を請求物品料金として算出する（リース値引後の物品料金の設定工程、ステップＳ４９）。
【００６３】
ホストコンピュータＨＣは、クレジット会社５０に基本物品料金を請求する（物品料金の請求工程、ステップＳ５５）。
店員Ｂは、購入したエンジンオイルＡをユーザＤに渡して、販売を終了する。
【００６４】
クレジット会社５０は、クレジットカード契約の契約条件に規定された支払い条件に基づいて、ユーザＤに請求物品料金を請求する。基本物品料金と請求物品料金との差額、すなわち、値引き額は、例えば、あらかじめ決めた割合でサービスステーションＳＳ、クレジット会社５０が負担する。
【００６５】
以上の販売システムによれば、リース契約の契約条件に応じて、ユーザがサービスステーションで購入した基本燃料料金から割引いて請求することができる。このため、リース契約及びクレジットカード契約を締結したユーザの利便性を高めたリース契約者向け販売システム及びそれを用いた燃料販売方法を提供することができる。
【符号の説明】
【００６６】
Ａ  エンジンオイル
Ｃ  ユーザ
ＣＤ  クレジットカード
Ｄ  ユーザ
ＤＳ  データサーバ
ＨＣ  ホストコンピュータ
Ｍ  車両
Ｎ  通信網
Ｓ  販売店
ＳＳ  サービスステーション
１０  販売システム
１０１  基本燃料料金の算出部
１０２  リース契約条件の参照部
１０６  リース値引後の燃料料金の算出部
１０８  クレジット値引後の燃料料金の算出部
１１０  顧客購入物品の履歴の特定部
１１２  物品購入値引後の燃料料金の算出部
１１４  請求燃料料金の算出部
１３１  基本物品料金の算出部
１３２  リース契約条件の参照部
１３４  リース値引後の物品料金の算出部
１３６  請求物品料金の算出部
１８２  値引物品サービスの特定部
２００  燃料販売端末
２１０  入力端末
２２０  出力端末
２３０  給油設備
３００  物品販売端末
３１０  入力端末
３２０  出力端末
【図１】
2017228064.tif 000003
【図２】
2017228064.tif 000004
【図３】
2017228064.tif 000005
【図４】
2017228064.tif 000006
【図５】
2017228064.tif 000007
【図６】
2017228064.tif 000008